【手続補正書】
【提出日】平成18年12月27日(2006.12.27)
【手続補正１】
【補正対象書類名】明細書
【補正対象項目名】特許請求の範囲
【補正方法】変更
【補正の内容】
【特許請求の範囲】
【請求項１】  消費者からの商品の購入申込を受け付けて、商品提供者との間で前記商品の価格を決定する販売仲介者のサーバにおける電子商取引方法において、
複数の消費者のコンピュータから、商品の属性、商品情報および購入条件を含み、前記消費者の商品の購入申込の意思を示す商品申込情報を受信し、記憶部に格納する第１格納ステップと、
前記記憶部に格納された複数の前記商品申込情報を、前記商品の属性ごとにグルーピングを行う分類ステップと、
該分類ステップでグルーピングされた商品ごとに、前記商品情報および前記購入条件を含むオークション情報を作成して、前記記憶部に格納するオークション情報作成ステップと、
複数の商品提供者のコンピュータから、前記オークション情報を参照した前記商品提供者の入札の意思を示す少なくとも入札価格を含む入札情報を受信し、前記記憶部に格納する第２格納ステップと、
前記記憶部に格納された複数の前記入札情報に含まれる入札価格のうち、最も安い入札価格を、前記グルーピングされた商品の価格として決定する価格決定ステップと
を備えたことを特徴とする電子商取引方法。
【請求項２】  前記価格決定ステップは、
前記最も安い入札価格を含む入札情報を前記消費者のコンピュータに送信するサブステップと、
前記消費者のコンピュータから、前記消費者の商品の購入の意思を示す応札情報を受信し、前記記憶部に格納するサブステップと、
前記商品提供者のコンピュータから、前記応札情報を参照した前記商品提供者の新たな入札価格を含む入札情報を受信し、前記記憶部に格納するサブステップと
をさらに備えたことを特徴とする請求項１に記載の電子商取引方法。
【請求項３】  販売仲介者を介して複数の商品提供者に対して、複数の商品の購入申込を行う消費者のコンピュータにおける電子商取引方法において、
選択された商品の商品情報を格納するショッピングカートを表示する第１領域と、前記商品提供者のコンピュータから受信した画面情報を表示する第２領域とを表示する第１表示ステップと、
前記消費者により前記第２領域で選択された商品の商品情報を、該商品を表示する画面情報から取得して前記第１領域に表示する第２表示ステップと、
前記商品を前記ショッピングカートに投入する指示に基づいて、前記商品の商品情報を記憶部に格納する商品選択ステップと、
前記記憶部に格納された複数の商品の商品情報を、前記販売仲介者のコンピュータに送信する送信ステップと
を備えたことを特徴とする電子商取引方法。
【請求項４】  前記商品選択ステップは、前記選択された商品の商品情報を、さらに、前記商品提供者のコンピュータにアクセスして取得することを特徴とする請求項３に記載の電子商取引方法。
【請求項５】  消費者からの商品の購入申込を受け付けて、商品提供者との間で前記商品の価格を決定する販売仲介者の電子商取引装置において、
複数の消費者のコンピュータから、商品の属性、商品情報および購入条件を含み、前記消費者の商品の購入申込の意思を示す商品申込情報を受信し、該商品申込情報を格納する記憶手段と、
該記憶手段に格納された複数の前記商品申込情報を、前記商品の属性ごとにグルーピングを行う分類手段と、
該分類手段でグルーピングされた商品ごとに、前記商品情報および前記購入条件を含むオークション情報を作成して、前記記憶手段に格納するオークション情報作成手段と、
前記オークション情報を参照した商品提供者の入札の意思を示す少なくとも入札価格を含む入札情報が、複数の前記商品提供者のコンピュータから受信されて、前記記憶手段に格納されており、前記記憶手段に格納された複数の前記入札情報に含まれる入札価格のうち、最も安い入札価格を、前記グルーピングされた商品の価格として決定する価格決定手段と
を備えたことを特徴とする電子商取引装置。
【請求項６】  販売仲介者を介して複数の商品提供者に対して、複数の商品の購入申込を行う消費者の電子商取引装置において、
選択された商品の商品情報を格納するショッピングカートを表示する第１領域と、前記商品提供者のコンピュータから受信した画面情報を表示する第２領域とを表示する第１表示手段と、
前記消費者により前記第２領域で選択された商品の商品情報を、該商品を表示する画面情報から取得して前記第１領域に表示する第２表示手段と、
前記商品を前記ショッピングカートに投入する指示に基づいて、前記商品の商品情報を格納する記憶手段と、
該記憶手段に格納された複数の商品の商品情報を、前記販売仲介者のコンピュータに送信する送信手段と
を備えたことを特徴とする電子商取引装置。
【請求項７】  消費者からの商品の購入申込を受け付けて、商品提供者との間で前記商品の価格を決定する販売仲介者のコンピュータに、
複数の消費者のコンピュータから、商品の属性、商品情報および購入条件を含み、前記消費者の商品の購入申込の意思を示す商品申込情報を受信し、記憶部に格納する第１格納ステップと、
前記記憶部に格納された複数の前記商品申込情報を、前記商品の属性ごとにグルーピングを行う分類ステップと、
該分類ステップでグルーピングされた商品ごとに、前記商品情報および前記購入条件を含むオークション情報を作成して、前記記憶部に格納するオークション情報作成ステップと、
複数の商品提供者のコンピュータから、前記オークション情報を参照した前記商品提供者の入札の意思を示す少なくとも入札価格を含む入札情報を受信し、前記記憶部に格納する第２格納ステップと、
前記記憶部に格納された複数の前記入札情報に含まれる入札価格のうち、最も安い入札価格を、前記グルーピングされた商品の価格として決定する価格決定ステップと
を実行させるためのプログラムを記録したコンピュータ読み取り可能な記録媒体。
【請求項８】  販売仲介者を介して複数の商品提供者に対して、複数の商品の購入申込を行う消費者のコンピュータに、
選択された商品の商品情報を格納するショッピングカートを表示する第１領域と、前記商品提供者のコンピュータから受信した画面情報を表示する第２領域とを表示する第１表示ステップと、
前記消費者により前記第２領域で選択された商品の商品情報を、該商品を表示する画面情報から取得して前記第１領域に表示する第２表示ステップと、
前記商品を前記ショッピングカートに投入する指示に基づいて、前記商品の商品情報を記憶部に格納する商品選択ステップと、
前記記憶部に格納された複数の商品の商品情報を、前記販売仲介者のコンピュータに送信する送信ステップと
を実行させるためのプログラムを記録したコンピュータ読み取り可能な記録媒体。
【請求項９】  消費者からの商品の購入申込を受け付けて、商品提供者との間で前記商品の価格を決定する販売仲介者のコンピュータに、
複数の消費者のコンピュータから、商品の属性、商品情報および購入条件を含み、前記消費者の商品の購入申込の意思を示す商品申込情報を受信し、記憶部に格納する第１格納ステップと、
前記記憶部に格納された複数の前記商品申込情報を、前記商品の属性ごとにグルーピングを行う分類ステップと、
該分類ステップでグルーピングされた商品ごとに、前記商品情報および前記購入条件を含むオークション情報を作成して、前記記憶部に格納するオークション情報作成ステップと、
複数の商品提供者のコンピュータから、前記オークション情報を参照した前記商品提供者の入札の意思を示す少なくとも入札価格を含む入札情報を受信し、前記記憶部に格納する第２格納ステップと、
前記記憶部に格納された複数の前記入札情報に含まれる入札価格のうち、最も安い入札価格を、前記グルーピングされた商品の価格として決定する価格決定ステップと
を実行させるためのプログラム。
【請求項１０】  販売仲介者を介して複数の商品提供者に対して、複数の商品の購入申込を行う消費者のコンピュータに、
選択された商品の商品情報を格納するショッピングカートを表示する第１領域と、前記商品提供者のコンピュータから受信した画面情報を表示する第２領域とを表示する第１表示ステップと、
前記消費者により前記第２領域で選択された商品の商品情報を、該商品を表示する画面情報から取得して前記第１領域に表示する第２表示ステップと、
前記商品を前記ショッピングカートに投入する指示に基づいて、前記商品の商品情報を記憶部に格納する商品選択ステップと、
前記記憶部に格納された複数の商品の商品情報を、前記販売仲介者のコンピュータに送信する送信ステップと
を実行させるためのプログラム。
【手続補正２】
【補正対象書類名】明細書
【補正対象項目名】０００７
【補正方法】変更
【補正の内容】
【０００７】
【課題を解決するための手段】
本発明は、このような目的を達成するために、請求項１に記載の発明は、消費者からの商品の購入申込を受け付けて、商品提供者との間で前記商品の価格を決定する販売仲介者のサーバにおける電子商取引方法において、複数の消費者のコンピュータから、商品の属性、商品情報および購入条件を含み、前記消費者の商品の購入申込の意思を示す商品申込情報を受信し、記憶部に格納する第１格納ステップと、前記記憶部に格納された複数の前記商品申込情報を、前記商品の属性ごとにグルーピングを行う分類ステップと、該分類ステップでグルーピングされた商品ごとに、前記商品情報および前記購入条件を含むオークション情報を作成して、前記記憶部に格納するオークション情報作成ステップと、複数の商品提供者のコンピュータから、前記オークション情報を参照した前記商品提供者の入札の意思を示す少なくとも入札価格を含む入札情報を受信し、前記記憶部に格納する第２格納ステップと、前記記憶部に格納された複数の前記入札情報に含まれる入札価格のうち、最も安い入札価格を、前記グルーピングされた商品の価格として決定する価格決定ステップとを備えたことを特徴とする。
【手続補正３】
【補正対象書類名】明細書
【補正対象項目名】０００９
【補正方法】変更
【補正の内容】
【０００９】
請求項２に記載の発明は、請求項１に記載の前記価格決定ステップは、前記最も安い入札価格を含む入札情報を前記消費者のコンピュータに送信するサブステップと、前記消費者のコンピュータから、前記消費者の商品の購入の意思を示す応札情報を受信し、前記記憶部に格納するサブステップと、前記商品提供者のコンピュータから、前記応札情報を参照した前記商品提供者の新たな入札価格を含む入札情報を受信し、前記記憶部に格納するサブステップとをさらに備えたことを特徴とする。
【手続補正４】
【補正対象書類名】明細書
【補正対象項目名】００１０
【補正方法】変更
【補正の内容】
【００１０】
請求項３に記載の発明は、販売仲介者を介して複数の商品提供者に対して、複数の商品の購入申込を行う消費者のコンピュータにおける電子商取引方法において、選択された商品の商品情報を格納するショッピングカートを表示する第１領域と、前記商品提供者のコンピュータから受信した画面情報を表示する第２領域とを表示する第１表示ステップと、前記消費者により前記第２領域で選択された商品の商品情報を、該商品を表示する画面情報から取得して前記第１領域に表示する第２表示ステップと、前記商品を前記ショッピングカートに投入する指示に基づいて、前記商品の商品情報を記憶部に格納する商品選択ステップと、前記記憶部に格納された複数の商品の商品情報を、前記販売仲介者のコンピュータに送信する送信ステップとを備えたことを特徴とする。
【手続補正５】
【補正対象書類名】明細書
【補正対象項目名】００１２
【補正方法】変更
【補正の内容】
【００１２】
請求項４に記載の発明は、請求項３に記載の前記商品選択ステップは、前記選択された商品の商品情報を、さらに、前記商品提供者のコンピュータにアクセスして取得することを特徴とする。
【手続補正６】
【補正対象書類名】明細書
【補正対象項目名】００１３
【補正方法】変更
【補正の内容】
【００１３】
請求項５に記載の発明は、消費者からの商品の購入申込を受け付けて、商品提供者との間で前記商品の価格を決定する販売仲介者の電子商取引装置において、複数の消費者のコンピュータから、商品の属性、商品情報および購入条件を含み、前記消費者の商品の購入申込の意思を示す商品申込情報を受信し、該商品申込情報を格納する記憶手段と、該記憶手段に格納された複数の前記商品申込情報を、前記商品の属性ごとにグルーピングを行う分類手段と、該分類手段でグルーピングされた商品ごとに、前記商品情報および前記購入条件を含むオークション情報を作成して、前記記憶手段に格納するオークション情報作成手段と、前記オークション情報を参照した商品提供者の入札の意思を示す少なくとも入札価格を含む入札情報が、複数の前記商品提供者のコンピュータから受信されて、前記記憶手段に格納されており、前記記憶手段に格納された複数の前記入札情報に含まれる入札価格のうち、最も安い入札価格を、前記グルーピングされた商品の価格として決定する価格決定手段とを備えたことを特徴とする。
【手続補正７】
【補正対象書類名】明細書
【補正対象項目名】００１４
【補正方法】変更
【補正の内容】
【００１４】
請求項６に記載の発明は、販売仲介者を介して複数の商品提供者に対して、複数の商品の購入申込を行う消費者の電子商取引装置において、選択された商品の商品情報を格納するショッピングカートを表示する第１領域と、前記商品提供者のコンピュータから受信した画面情報を表示する第２領域とを表示する第１表示手段と、前記消費者により前記第２領域で選択された商品の商品情報を、該商品を表示する画面情報から取得して前記第１領域に表示する第２表示手段と、前記商品を前記ショッピングカートに投入する指示に基づいて、前記商品の商品情報を格納する記憶手段と、該記憶手段に格納された複数の商品の商品情報を、前記販売仲介者のコンピュータに送信する送信手段とを備えたことを特徴とする。
【手続補正８】
【補正対象書類名】明細書
【補正対象項目名】００１５
【補正方法】変更
【補正の内容】
【００１５】
請求項７に記載の発明は、消費者からの商品の購入申込を受け付けて、商品提供者との間で前記商品の価格を決定する販売仲介者のコンピュータに、複数の消費者のコンピュータから、商品の属性、商品情報および購入条件を含み、前記消費者の商品の購入申込の意思を示す商品申込情報を受信し、記憶部に格納する第１格納ステップと、前記記憶部に格納された複数の前記商品申込情報を、前記商品の属性ごとにグルーピングを行う分類ステップと、該分類ステップでグルーピングされた商品ごとに、前記商品情報および前記購入条件を含むオークション情報を作成して、前記記憶部に格納するオークション情報作成ステップと、複数の商品提供者のコンピュータから、前記オークション情報を参照した前記商品提供者の入札の意思を示す少なくとも入札価格を含む入札情報を受信し、前記記憶部に格納する第２格納ステップと、前記記憶部に格納された複数の前記入札情報に含まれる入札価格のうち、最も安い入札価格を、前記グルーピングされた商品の価格として決定する価格決定ステップとを実行させるためのプログラムを記録したコンピュータ読み取り可能な記録媒体であることを特徴とする。
【手続補正９】
【補正対象書類名】明細書
【補正対象項目名】００１６
【補正方法】変更
【補正の内容】
【００１６】
請求項８に記載の発明は、販売仲介者を介して複数の商品提供者に対して、複数の商品の購入申込を行う消費者のコンピュータにおける電子商取引方法において、選択された商品の商品情報を格納するショッピングカートを表示する第１領域と、前記商品提供者のコンピュータから受信した画面情報を表示する第２領域とを表示する第１表示ステップと、前記消費者により前記第２領域で選択された商品の商品情報を、該商品を表示する画面情報から取得して前記第１領域に表示する第２表示ステップと、前記商品を前記ショッピングカートに投入する指示に基づいて、前記商品の商品情報を記憶部に格納する商品選択ステップと、前記記憶部に格納された複数の商品の商品情報を、前記販売仲介者のコンピュータに送信する送信ステップとを実行させるためのプログラムを記録したコンピュータ読み取り可能な記録媒体であることを特徴とする。
【手続補正１０】
【補正対象書類名】明細書
【補正対象項目名】００１７
【補正方法】変更
【補正の内容】
【００１７】
請求項９に記載の発明は、消費者からの商品の購入申込を受け付けて、商品提供者との間で前記商品の価格を決定する販売仲介者のコンピュータに、複数の消費者のコンピュータから、商品の属性、商品情報および購入条件を含み、前記消費者の商品の購入申込の意思を示す商品申込情報を受信し、記憶部に格納する第１格納ステップと、前記記憶部に格納された複数の前記商品申込情報を、前記商品の属性ごとにグルーピングを行う分類ステップと、該分類ステップでグルーピングされた商品ごとに、前記商品情報および前記購入条件を含むオークション情報を作成して、前記記憶部に格納するオークション情報作成ステップと、複数の商品提供者のコンピュータから、前記オークション情報を参照した前記商品提供者の入札の意思を示す少なくとも入札価格を含む入札情報を受信し、前記記憶部に格納する第２格納ステップと、前記記憶部に格納された複数の前記入札情報に含まれる入札価格のうち、最も安い入札価格を、前記グルーピングされた商品の価格として決定する価格決定ステップとを実行させるためのプログラムであることを特徴とする。
【手続補正１１】
【補正対象書類名】明細書
【補正対象項目名】００１８
【補正方法】変更
【補正の内容】
【００１８】
請求項１０に記載の発明は、販売仲介者を介して複数の商品提供者に対して、複数の商品の購入申込を行う消費者のコンピュータにおける電子商取引方法において、選択された商品の商品情報を格納するショッピングカートを表示する第１領域と、前記商品提供者のコンピュータから受信した画面情報を表示する第２領域とを表示する第１表示ステップと、前記消費者により前記第２領域で選択された商品の商品情報を、該商品を表示する画面情報から取得して前記第１領域に表示する第２表示ステップと、前記商品を前記ショッピングカートに投入する指示に基づいて、前記商品の商品情報を記憶部に格納する商品選択ステップと、前記記憶部に格納された複数の商品の商品情報を、前記販売仲介者のコンピュータに送信する送信ステップとを実行させるためのプログラムであることを特徴とする。